(57)【要約】  【課題】通常のロック時にはコネクタとモジュールとの間のロックが確実になされて、コネクタからモジュールを取り外すときには専用工具等を使用しなくても簡単に取り外すことができる構造が得られるようにする。  【解決手段】  モジュール１１側に設けた突起部２０と、該モジュール１１がコネクタ１２側の中空部１９内に組み込まれる時には弾性変形して外側に逃がされ、該モジュール１１が所定の位置に組み込まれると自己復帰して前記突起部２０と係合し前記モジュール１１の抜け止めを行う、前記コネクタ１２の一端開放側で、且つ、前記コネクタ１２から外側に突出させたバネフック１８とを設けたモジュール用コネクタロック装置。【選択図】図１
2006067445.tif 000002
【特許請求の範囲】
【請求項１】
モジュールと、該モジュールを組み込むための一端が開放された中空部を有するコネクタとを備え、前記中空部内に組み込まれたモジュールを前記コネクタに固定するためのモジュール用コネクタロック装置であって、
前記モジュール側に設けた被係合部と、
前記モジュールが前記中空部内に組み込まれる時には外側に弾性変形して逃がされ、該モジュールが所定の位置に組み込まれると自己復帰して前記被係合部と係合し、前記モジュールの抜け止めを行うバネフックとを備え、
前記バネフックを、前記コネクタの一端開放側で、且つ、前記コネクタより外側に突出させて設けて成ることを特徴とするモジュール用コネクタロック装置。
【請求項２】
上記コネクタは４内側面を有した桝状に形成され、上記バネフックは前記コネクタの外側面を覆っているシールドケースの一部で形成されていることを特徴とする請求項１記載のモジュール用コネクタロック装置。
【請求項３】
上記被係合部はモジュールの外側面から外側に向かって突出された突起部で作られ、上記バネフックに前記突起部が挿入係合される係合穴を設けたことを特徴とする請求項１又は２記載のモジュール用コネクタロック装置。
【請求項４】
請求項１，２又は３記載のモジュール用コネクタロック装置を用いたことを特徴とするカメラ用モジュール装置。
【発明の詳細な説明】
【技術分野】
【０００１】
本発明は、モジュール用コネクタロック装置及び該ロック装置を用いたカメラ用モジュール装置に関するものであり、特に、メモリモジュール又はカメラモジュール等の各種モジュールをコネクタに組み込み、且つ、該モジュールをコネクタにロックするためのモジュール用コネクタロック装置及び該ロック装置を用いたカメラ用モジュール装置に関するものである。
【背景技術】
【０００２】
図４及び図５は従来のモジュール用コネクタロック構造を用いたモジュール装置の一例を示すもので、図４はそのモジュール装置の概略正面縦断面図、図５はそのモジュール装置の分解図である。図４及び図５において、モジュール装置１００は、モジュール１０１と、該モジュール１０１を機器に取り付けるコネクタ１０２とで構成されている。
【０００３】
前記モジュール１０１は、携帯電話等に実装するカメラモジュールである。該モジュール１０１は、概略四角形のブロック状に形成されたモジュール本体１０３と、該モジュール本体１０３の上部に設けられたレンズ部１０４とで構成されている。又、モジュール本体１０３のコーナ部近傍には、モジュール本体１０３の途中から上面までを連続して切り欠いて成る係合部１０７，１０７…が設けられている。更に、モジュール本体１０３の底面には、基板１０５が接着剤１０６で取り付けられ、該基板１０５の側面に接触子となる複数の接触パッド（図示せず）がそれぞれ鉛直方向に形成されている。
【０００４】
前記コネクタ１０２は、モジュール１０１を組み込むための、一端が開放されている桝状をした中空部１０９を有するコネクタ本体１１０と、中空部１０９の内面に基板１０５の接触パッドとの電気接触を図るための接触子片（図示せず）を設けていると共に、モジュール１０１の係合部１０７，１０７…に対応させてバネフック１０８，１０８…が設けられている。該バネフック１０８，１０８…は、コネクタ本体１１０の外周面を覆って該コネクタ本体１１０に取り付けられているシールドケース１１１から中空部１０９内に延ばされており、中空部１０９内に延ばされた自由先端側はコネクタ本体１１０の底部１０２ａに近づくに従って徐々に中空部１０９の中心に近づくように傾斜した状態にして、中心側に向かって突出されている。尚、そのバネフック１０８，１０８…の各自由先端１０８ａ，１０８ａ…は、中空部１０９内にモジュール１０１が所定の位置まで挿入されると、係合部１０７，１０７…、すなわち基板１０５の上面に係合されて、モジュール１０１を抜け止めできるように成っている。
【０００５】
そして、モジュール１０１をコネクタ１０２に取り付ける場合は、図５に示すように、モジュール１０１をコネクタ１０２の上側から中空部１０９内に落とし込むようにして組み込む。その組み込み途中では、基板１０５の下面がバネフック１０８，１０８に当接する。しかしながら、そのままモジュール１０１を押し込むと、バネフック１０８，１０８は弾性変形を伴って外側に逃がされ、モジュール１０１の押し込みを許容する。又、基板１０５の下面が中空部１０９内の底部１０２ａに当接し、接触パッドと接触子片とが接触（当接）された状態となる所定位置まで押し込まれると、バネフック１０８，１０８…が自身の弾性力で係合部１０７内に復帰され、バネフック１０８，１０８…の各先端１０８ａが係合部１０７の係止面１０７ａに係合される。この係合により、コネクタ１０２に対してのモジュール１０１の抜け止めが行われ、モジュール１０１がコネクタ１０２にロックされる。図４は、このロック状態を示す。
【０００６】
又、組み込みが一度完了した状態において、コネクタ１０２からモジュール１０１を取り外す場合は、係合部１０７の上方から例えばピンを差し込み、該ピンでバネフック１０８を係合部１０７上の外側に逃がした状態で、モジュール１０１を上側に引き抜くと、簡単に取り外すことができる。
【０００７】
尚、この種のモジュール用コネクタロック装置としては、図４及び図５に示す構造以外にも、例えば特許文献１でも見ることができる。
【特許文献１】特開２００４−６３４２５号公報
【発明の開示】
【発明が解決しようとする課題】
【０００８】
しかしながら、上述したように従来のロック装置では、組み込みが一度完了した状態において、コネクタ１０２からモジュール１０１を取り外す場合は、係合部１０７の上方から例えばピンを差し込み、該ピンでバネフック１０８を係合部１０７上の外側に逃がした状態で、モジュール１０１を上側に引き抜く作業が必要になる。すなわち、係合部１０７に差し込むピンを必要とするので、常にピンを用意しておかなければならない。このため面倒で、又、コストもかかることになる。更に、ピンを用意していない場合には取り外し作業ができない問題があった。
【０００９】
そこで、通常のロック時にはコネクタとモジュールとの間のロックが確実になされ、コネクタからモジュールを取り外すときには専用工具等を使用となくても、簡単に取り外すことができる構造にするために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、モジュールと、該モジュールを組み込むための一端が開放された中空部を有するコネクタとを備え、前記中空部内に組み込まれたモジュールを前記コネクタに固定するためのモジュール用コネクタロック装置であって、前記モジュール側に設けた被係合部と、前記モジュールが前記中空部内に組み込まれる時には外側に弾性変形して逃がされ、該モジュールが所定の位置に組み込まれると自己復帰して前記被係合部と係合し、前記モジュールの抜け止めを行うバネフックとを備え、前記バネフックを、前記コネクタの一端開放側で、且つ、前記コネクタより外側に突出させて設けて成るモジュール用コネクタロック装置を提供する。
【００１１】
この構成によれば、モジュールをコネクタの一端が開放された部分から中空部内に組み込んで行くと、該モジュールの組み込みに伴ってバネフックが弾性変形して外側に逃がされ、モジュールの組み込みが許容される。又、モジュールが所定の位置まで組み込まれると、バネフックが自己復帰して被係合部に係合され、この係合によりモジュールがコネクタに対して確実に抜け止め保持される。反対に、モジュールをコネクタから取り外す場合は、外側に突出されているバネフックに手の指等を添えて、該バネフックを被係合部と離れる外側方向に押し開くと、専用工具等を使用せずに、バネフックと被係合部との係合を外すことができる。そして、この状態でモジュールをコネクタから引き抜くと、簡単に取り外すことができる。
【００１２】
請求項２記載の発明は、上記コネクタは４内側面を有した桝状に形成され、上記バネフックは前記コネクタの外周側面を覆っているシールドケースの一部で形成されたモジュール用コネクタロック装置を提供する。
【００１３】
この構成によれば、バネフックを、シールドケースの一部で兼ねることができる。
【００１４】
請求項３記載の発明は、上記被係合部はモジュールの外側面から外側に向かって突出された突起部で作られ、上記バネフックに前記突起部が挿入係合される係合穴を設けたモジュール用コネクタロック装置を提供する。
【００１５】
この構成によれば、モジュール側の突起部とバネフック側の係合穴との係合により、確実に係合ロックできる。
【００１６】
請求項４記載の発明は、請求項１，２又は３記載のモジュール用コネクタロック装置を用いたカメラ用モジュール装置を提供する。
【００１７】
この構成によれば、モジュールとコネクタとの間のロックを、簡単、且つ確実に行うことができるカメラ用モジュール装置が得られる。
【発明の効果】
【００１８】
請求項１記載の発明は、モジュールをコネクタの一端が開放された部分から中空部内に組み込むだけで、該モジュールをコネクタに対して確実に抜け止めロックすることができる。又、反対に、バネフックに手の指等を添えて、該バネフックを被係合部と離れる外側方向に押し開くと、バネフックと被係合部との係合が外れ、モジュールをコネクタから取り外すことができる。従って、着脱操作が簡単になる。
【００１９】
請求項２記載の発明は、バネフックを、シールドケースの一部で兼ねることによって部品点数を減らすことができるので、請求項１記載の発明の効果に加えて、コストの削減と小型化が可能になる。
【００２０】
請求項３記載の発明は、モジュール側の突起部とバネフック側の係合穴との係合で確実にロックすることができるので、請求項１又は２記載の発明の効果に加えて、ロックの信頼性が向上する。
【００２１】
請求項４記載の発明は、モジュールとコネクタとの間の抜け止めロックを、簡単、且つ確実に行うことができるロック構造を有したカメラ用モジュール装置が得られる。
【発明を実施するための最良の形態】
【００２２】
以下、本発明に係るモジュール用コネクタロック装置について、好適な実施例をあげて説明する。通常のロック時にはコネクタとモジュールとの間のロックが確実に行われていて、コネクタからモジュールを取り外すときには専用工具等を使用しなくても簡単に取り外すことができる構造にするという目的を、モジュール側に設けた被係合部と、該モジュールがコネクタ側の中空部内に組み込まれる時には弾性変形を伴って外側に逃がされ、該モジュールが所定の位置に組み込まれると自己復帰して前記被係合部と係合し前記モジュールの抜け止めを行う、前記コネクタの一端開放側で、且つ、前記コネクタより外側に突出させて設けられたバネフックとを備える構造にして実現した。
【００２３】
図１及び図２は本発明の一実施の形態であるモジュール装置を示し、図１は概略縦正面断面図、図２は分解斜視図である。図１及び図２において、このモジュール装置１０は、モジュール１１と、該モジュール１１を機器に取り付けるコネクタ１２とで構成されている。
【００２４】
前記モジュール１１は、携帯電話等に実装するカメラモジュールである。該モジュール１１は、概略四角形のブロック状に形成されているモジュール本体１３と、該モジュール本体１３の上部に設けられたレンズ部１４とで構成されている。又、モジュール本体１３
の相対抗している一対の側面１３ａ，１３ｂの上側中央部には、該モジュール本体１３からそれぞれ外側に向かって略直角に突出している被係合部としての突起部２０，２０が設けられている。
【００２５】
更に、モジュール本体１３の底面には、基板１５が接着剤１６で取り付けられ、該基板１５の４側面に端子部となる複数の接触パッド２１，２１…（図２参照）がそれぞれ鉛直方向に形成されている。
【００２６】
前記コネクタ１２は、モジュール１１を組み込むための一端が開放されている桝状の中空部１９を有する樹脂製のコネクタ本体２２を備えている。又、コネクタ本体２２の底部２２ａは４側辺近傍が切り欠かれて開口２３，２３…が形成され、該中空部１９の内側面には鉛直方向に平行に接触子片となる複数のコンタクトピン２４，２４…（図２参照）が配設されている。更に、コネクタ１２の４外周側面は、バネ性を有する金属薄板を概略四角筒状にプレス成形して成るシールドケース２７で覆われ、該シールドケース２７と一体化されている。
【００２７】
前記シールドケース２７は、モジュール１１のそれぞれ突起部２０，２０が設けられている側面１３ａ，１３ｂと対抗する側面２７ａ，２７ｂに、該側面２７ａ，２７ｂの上端の開放された部分から、コネクタ１２の外側に向かって延びるようにして、バネ性を持たせた舌状のバネフック１８，１８が設けられている。又、側面２７ａに設けられたバネフック１８と側面２７ｂに設けられたバネフック１８との間の距離Ｌ１は、モジュール１１の側面１３ａに設けられた突起部２０の最先端部とモジュール１１の側面１３ａに設けられた突起部２０の最先端部との距離Ｌ０よりも小さく形成されている。更に、各バネフック１８，１８の先端部分１８ａ，１８ａはそれぞれ斜め外側に向かって折り曲げられ、その先端部分１８ａ，１８ａの最大離間寸法Ｌ２をモジュール１１の側面１３ａに設けられた突起部２０の最先端部とモジュール１１の側面１３ａに設けられた突起部２０の最先端部との距離Ｌ０よりも大きく設定し、該先端部分１８ａ，１８ａをモジュール１１の組み込み時における押し開きガイドとして使用するようにしてある。又、各バネフック１８には、前記先端部分１８ａ，１８ａの隣に、突起部２０が係合可能な係合穴１７が形成されている。
【００２８】
図３は、このように構成されたモジュール装置１０において、モジュール１１をコネクタ１２に組み込む手順の一例を模式的に示す図である。図３を用いてモジュール１１をコネクタ１２に組み込む手順を次に説明する。まず、モジュール１１の突起部２０とコネクタ１２側のバネフック１８とを対応させ、コネクタ１２の上側からモジュール１１を中空部１９内に落とし込むようにして組み込む。その組み込み途中では、突起部２０，２０の先端部の下面がそれぞれバネフック１８の先端部分１８ａ，１８ａに当接する。
【００２９】
しかし、そのままモジュール１１を押し込むと、先端部分１８ａ，１８ａの傾斜により、バネフック１８，１８が外側に開こうとする力を突起部２０，２０側より受け、バネフック１８，１８が弾性変形して外側に逃がされ、モジュール１１の押し込みを許容する。又、基板１５の下面が中空部１９内の底部２２ａに当接し、接触パッド２１，２１…とコンタクトピン２４，２４…とが当接された状態になる所定位置までモジュール１１が中空部１９内に押し込まれると、バネフック１８の係合穴１７とモジュール１１側の突起部２０，２０とが各々対応する。そして、バネフック１８の弾性復帰力で、突起部２０，２０がバネフック１８の係合穴１７内に落ち込み係合された状態になる。この係合により、モジュール１１が抜け止めされて、該モジュール１１がコネクタ１２にロックされ、組み込みが完了する。図１は、この組み込みが完了したロック状態を示す。
【００３０】
又、組み込みが一度完了した状態において、コネクタ１２からモジュール１１を取り外
す場合は、コネクタ１２の外側に突出されているバネフック１８，１８に、手の指等を添えてそれぞれ突起部２０，２０と離れる外側方向に押し開くと、バネフック１８，１８の係合穴１７，１７と突起部２０，２０との係合が外れる。そして、この状態でモジュール１１をコネクタ１２から引き抜くと、簡単に取り外すことができる。
【００３１】
従って、このように構成されたモジュール装置は、モジュール１１をコネクタ１２の一端が開放されている部分から中空部１９内に組み込むだけで、該モジュール１１をコネクタ１２に対して確実に抜け止めロックすることができると共に、反対に、バネフック１８，１８に手の指等を添えて該バネフック１８，１８を被係合部である突起部２０，２０と離れる外側方向に押し開くと、バネフック１８，１８の係合穴１７，１７と突起部２０，２０との係合が外れ、モジュール１１をコネクタ１２から取り外すことができる。これにより、着脱操作を簡単に行うことができる。又、バネフック１８，１８はシールドケース２７の一部で形成しているので、コストの削減と小型化も可能になる。
【００３２】
尚、本発明は、本発明の精神を逸脱しない限り種々の改変を為すことができ、そして、本発明が該改変されたものに及ぶことは当然である。
【図面の簡単な説明】
【００３３】
【図１】本発明の一実施の形態を示し、カメラモジュール装置の正面縦断面図。
【図２】同上実施形態に係るカメラモジュール装置の分解斜視図。
【図３】同上実施形態に係るカメラモジュール装置の組み込み手順の一例を説明する図で、コネクタにモジュールを組み込む前の状態を示す正面縦断面図。
【図４】従来のモジュール装置の正面縦断面図。
【図５】従来のモジュール装置の組み込み手順の一例を説明する図で、コネクタにモジュールを組み込む前の状態を示す正面縦断面図。
【符号の説明】
【００３４】
１０    モジュール装置
１１    モジュール
１２    コネクタ
１３    モジュール本体
１４    レンズ部
１７    係合穴
１８    バネフック
１８ａ  先端
１９    中空部
２０    突起部（被係合部）
２２    コネクタ本体
２７    シールドケース
【図１】
2006067445.tif 000003
【図２】
2006067445.tif 000004
【図３】
2006067445.tif 000005
【図４】
2006067445.tif 000006
【図５】
2006067445.tif 000007